【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
パチンコ台やスロットマシン等の遊技台が設置された遊技店において、会員登録をした遊技客に対し、一定の条件を満足する毎にポイントを付与するとともに、蓄積ポイントを消費することと引き換えに特典を提供する会員ポイントサービスの実施に利用される会員管理システムであって、会員管理コンピュータと、その会員管理コンピュータと通信可能な第１端末装置及び第２端末装置とを含んで構成され、
前記会員管理コンピュータは、
前記会員登録をした会員一人一人に固有の個人ＩＤ、前記個人ＩＤで識別可能かつ会員に個別にポイントを付与する場合のポイント加算先となる個人ポイント口座、会員同士がグループを結成した場合に付与されるグループＩＤ、および前記クループＩＤで識別可能かつグループに所属する会員がそれぞれ保有するとともにグループの会員全員にポイントを付与する場合のポイント加算先となるグループポイント口座が、相互に関連付けられることにより構築された会員データベースと、
前記第１端末装置からの入力に応じて前記個人ポイント口座におけるポイントの加減算処理、前記グループポイント口座におけるポイントの加減算処理を実行するポイント演算手段と、
前記第２端末装置からの入力に応じて前記グループへの登録処理を行うグループ会員登録手段と、
前記第２端末装置からの入力に応じて前記グループからの登録抹消処理を行う登録抹消手段と、を備え、
前記第２端末装置は、会員自身の入力操作に応じて、前記会員管理コンピュータにグループ登録及びグループ登録抹消に関わる指示を行うことを特徴とする会員管理システム。
【請求項２】
前記会員管理コンピュータは、前記第２端末装置から少なくとも前記個人ＩＤが入力されることを条件に、その個人ＩＤを保有する会員に対し、先に結成されているグループへの登録または新規にグループを結成する登録を許可し、その会員にグループＩＤおよびグループポイント口座を付与するとともに、そのグループＩＤおよびグループポイント口座を、入力された前記個人ＩＤと相互に関連付けるための前記会員データベースにおける処理を実行するグループ会員登録手段を備える請求項１記載の会員管理システム。
【請求項３】
前記ポイント演算手段は、グループ単位で一定条件を満足した場合に、それらの会員がそれぞれ保有する前記グループポイント口座に所定ポイントを均等に加算する一方、前記端末装置から前記会員管理コンピュータに対し、前記グループポイント口座に蓄積されたポイントを消費することによる前記特典の獲得要求を示す情報が入力された場合には、前記特典または特典付与の許可を前記端末装置に出力するとともに前記グループポイント口座より前記特典に相当するポイントを減算する請求項１または２に記載の会員管理システム。
【請求項４】
前記ポイント演算手段は、同一グループに属するいずれかの会員が一定条件を満足した場合に、そのグループに属する会員全員に対し、それら会員がそれぞれ保有する前記グループポイント口座に所定ポイントを均等に加算する一方、前記端末装置から前記会員管理コンピュータに対し、グループポイント口座に蓄えられたポイントを消費することによる前記特典の獲得要求が入力された場合には、前記特典または特典付与の許可を前記端末装置に出力するとともに前記グループポイント口座より前記特典に相当するポイントを減算する請求項１ないし３のいずれか１項に記載の会員管理システム。
【手続補正２】
【補正対象書類名】明細書
【補正対象項目名】０００６
【補正方法】変更
【補正の内容】
【０００６】
【課題を解決するための手段及び作用・効果】
上記課題を解決するために本発明の第１構成は、パチンコ台やスロットマシン等の遊技台が設置された遊技店において、会員登録をした遊技客に対し、一定の条件を満足する毎にポイントを付与するとともに、蓄積ポイントを消費することと引き換えに特典を提供する会員ポイントサービスの実施に利用される会員管理システムであって、会員管理コンピュータと、その会員管理コンピュータと通信可能な第１端末装置及び第２端末装置とを含んで構成され、会員管理コンピュータは、会員登録をした会員一人一人に固有の個人ＩＤ、個人ＩＤで識別可能かつ会員に個別にポイントを付与する場合のポイント加算先となる個人ポイント口座、会員同士がグループを結成した場合に付与されるグループＩＤ、およびクループＩＤで識別可能かつグループに所属する会員がそれぞれ保有するとともにグループの会員全員にポイントを付与する場合のポイント加算先となるグループポイント口座が、相互に関連付けられることにより構築された会員データベースと、第１端末装置からの入力に応じて個人ポイント口座におけるポイントの加減算処理、グループポイント口座におけるポイントの加減算処理を実行するポイント演算手段と、第２端末装置からの入力に応じてグループへの登録処理を行うグループ会員登録手段と、第２端末装置からの入力に応じてグループからの登録抹消処理を行う登録抹消手段と、を備え、第２端末装置は、会員自身の入力操作に応じて、会員管理コンピュータにグループ登録及びグループ登録抹消に関わる指示を行うことを特徴とする。
【手続補正３】
【補正対象書類名】明細書
【補正対象項目名】０００７
【補正方法】変更
【補正の内容】
【０００７】
上記本発明は、従来の会員管理システムにおける個人会員用のポイント口座に加え、グループ会員用のポイント口座を設けるようにしたものである。個人ポイント口座およびグループポイント口座は、会員管理コンピュータにおいて、識別キーとなる個人ＩＤおよびグループＩＤとともにデータベース化される。各ポイント口座にポイントを加算する処理や、各ポイント口座からポイントを減算する処理、要するにデータベースの更新処理は、各口座別に行うことが可能である。このように、会員管理システムにおいてグループでのポイント口座を設けると、パチンコ店は、グループ客に対して特別なポイントを付与するといったサービスを容易に実施できるようになる。すなわち、本発明の会員管理システムは、積極的にグループでパチンコ店を訪れるような環境形成に寄与する。なお、グループポイント口座は、グループで１口座ということではなく、グループに登録されている会員のそれぞれが保有するようにしている。たとえば、１人の会員のレコードは、少なくとも個人ＩＤ、グループＩＤ、個人ポイント口座およびグループポイント口座の各フィールドを有するものとすることができる。
【手続補正４】
【補正対象書類名】明細書
【補正対象項目名】０００８
【補正方法】変更
【補正の内容】
【０００８】
好適な態様において、会員管理コンピュータは、第２端末装置から少なくとも個人ＩＤが入力されることを条件に、その個人ＩＤを保有する会員に対し、先に結成されているグループへの登録または新規にグループを結成する登録を許可し、その会員にグループＩＤおよびグループポイント口座を付与するとともに、そのグループＩＤおよびグループポイント口座を、入力された個人ＩＤと相互に関連付けるための会員データベースにおける処理を実行するグループ会員登録手段を備える。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】